(57)【要約】【課題】屋内に設置された給湯装置でも標準電波を受信しやすくして、電波時計によって正確な時刻が自動設定できるようにすることを目的とする。【解決手段】熱源９の通電時間を制御する計時手段１４の時刻を設定する電波時計１５を、ヒートポンプ給湯機の熱源機９、貯湯タンク１０、リモコン１１、１２に設けたコネクタ１９、２３、２５、２６から最も標準電波の受信状態の良い１カ所を選んで接続する構成としてある。【選択図】図１
2005140469.tif 000002
【特許請求の範囲】
【請求項１】
電力を使って水を加熱する熱源機と、加熱した湯を蓄える貯湯タンクと、出湯温度や貯湯温度を設定するリモコンと、熱源機の通電時間を制御する計時手段と、前記計時手段の時刻を設定する電波時計とを備え、前記電波時計は、熱源機、貯湯タンク、リモコンのうち２カ所以上に設けたコネクタから１カ所を選んで接続する構成とした貯湯式給湯装置。
【請求項２】
電力を使って水を加熱する熱源機と、加熱した湯を蓄える貯湯タンクと、出湯温度や貯湯温度を設定するリモコンと、熱源機の通電時間を制御する計時手段と、ＧＰＳ受信機とを備え、前記ＧＰＳ受信機は、熱源機、貯湯タンク、リモコンのうち２カ所以上に設けたコネクタから１カ所を選んで接続する構成とした貯湯式給湯装置。
【請求項３】
電波時計またはＧＰＳ受信機は、熱源機、貯湯タンク、リモコンのうち２カ所以上に同時に設ける構成とした請求項１または２記載の貯湯式給湯装置。
【請求項４】
電波時計またはＧＰＳ受信機に通信手段を設け、貯湯タンクと熱源機間の通信線、または貯湯タンクとリモコン間の通信線のいずれかに接続して設ける構成とした請求項１または２記載の貯湯式給湯装置。
【請求項５】
貯湯タンクと熱源機間の通信線、または貯湯タンクとリモコン間の通信線を電波時計またはＧＰＳ受信機のアンテナとして利用する請求項１または２記載の貯湯式給湯装置。
【請求項６】
ＧＰＳ受信機から得られる位置情報から熱源機の通電時間を変更させる請求項２〜５のいずれか１項記載の貯湯式給湯装置。
【請求項７】
ＧＰＳ受信機から得られる高度情報から沸き上げ最高温度を変更させる請求項２〜６のいずれか１項記載の貯湯式給湯装置。
【発明の詳細な説明】
【技術分野】
【０００１】
本発明は、電気温水器あるいはヒートポンプ給湯機等の貯湯式給湯装置における時刻設定装置に関するものである。
【背景技術】
【０００２】
電気温水器、ヒートポンプ給湯機等の電気料金はたいてい深夜に安くなる時間帯別料金制度に基づいて契約する。夜間の２３時から翌朝７時までの電気料金が通常の約１／３と安く、それ以外の昼間時間帯は高い。また、季節別時間帯別電灯契約というものもあり、ある電力会社の制度では夜間の２３時から翌朝７時のほか、土曜、日曜、特定の祝日の夜間以外の時間帯及び平日の朝７時から朝１０時と夕方１７時から夜２３時も通常料金より割安な反面、平日朝１０時から夕方１７時は通常料金より割高になる。電力会社によって時間帯などが多少違い、夜間が２２時から翌朝８時のところもある。
【０００３】
このように電気温水器、ヒートポンプ給湯機に用いる電力は、契約している電力会社によってもその通電時間帯が異なり、また機器側の時刻設定が誤っている場合等においても、電気代が安い時間帯に湯切れしていても通電しなかったり、電気料金が割高な時間帯に通電してしまうことがある。
【０００４】
そこで、機器側の時刻設定の精度を高めるため、従来においても電気温水器の貯湯タンク部の制御部に電波時計を設けたものがあった（例えば、特許文献１参照）。
【０００５】
図５は、上記特許文献１に記載された従来の電気温水器のブロック図である。貯湯タンクを有する電気温水器本体１の制御部２は、標準電波を受信するための標準電波受信部３、ヒーターへの通電を制御するためのヒーター制御部４、風呂の湯はり温度を制御するための湯はり制御部５、通信線６でリモコン７と相互通信するための本体通信手段８を備える。屋外に設置される電気温水器本体１内の制御部５に標準電波受信部３を設けるので電波を受信し易いものである。
【特許文献１】特開２００１−２２１５０６号公報
【発明の開示】
【発明が解決しようとする課題】
【０００６】
しかしながら、実際には電気温水器の本体が屋外に設置されるとは限らず、マンションでは本体は屋内に設置される。また１戸建て住宅でも本体は鉄筋コンクリートの車庫に設置場所を設けることもある。標準電波は４０ｋＨｚ、６０ｋＨｚという長波なので建物の奥には入って行けず、本体の制御部に標準電波受信部を設けただけでは時刻設定できないことがある。
【０００７】
本発明は上記従来の課題を解決するもので、電波を受信し易くして正確な時刻設定ができるようにすることを目的とする。また、電力会社の設定も自動化して設定ミスをなくすことを目的とする。
【課題を解決するための手段】
【０００８】
上記目的を達成するため本発明の貯湯式給湯装置は、電波時計を電気温水器またはヒートポンプ給湯機の熱源機、貯湯タンク、リモコンのうち２カ所以上に設けたコネクタから１カ所を選んで接続する構成としたものである。
【０００９】
上記発明によれば、熱源機、貯湯タンク、リモコンのうち最も電波を受信し易い場所に電波時計を接続でき、正確な時刻設定ができるものである。
【発明の効果】
【００１０】
本発明の貯湯式給湯装置は、電波時計を熱源機、貯湯タンク、リモコンのうち２カ所以上に設けたコネクタから１カ所を選んで接続することで、電波を最も受信しやすい場所に電波時計を設置でき、正確な時刻設定ができる。
【００１１】
また、ＧＰＳ受信機を、熱源機、貯湯タンク、リモコンのうち２カ所以上に設けたコネクタから１カ所を選んで接続することで、電波を最も受信しやすい場所にＧＰＳ受信機を設置でき、ＧＰＳ信号から正確な時刻設定ができる。
【発明を実施するための最良の形態】
【００１２】
第１の発明は、電力を使って水を加熱する熱源機と、加熱した湯を蓄える貯湯タンクと、出湯温度や貯湯温度を設定するリモコンと、熱源機の通電時間を制御する計時手段と、前記計時手段の時刻を設定する電波時計とを備え、前記電波時計は、熱源機、貯湯タンク、リモコンのうち２カ所以上に設けたコネクタから１カ所を選んで接続する構成としたことを特徴とするもので、電波を最も受信しやすい場所に電波時計を設置でき、正確な時刻設定ができものである。
【００１３】
第２の発明は、電力を使って水を加熱する熱源機と、加熱した湯を蓄える貯湯タンクと、出湯温度や貯湯温度を設定するリモコンと、熱源機の通電時間を制御する計時手段と、ＧＰＳ受信機とを備え、前記ＧＰＳ受信機は、熱源機、貯湯タンク、リモコンのうち２カ所以上に設けたコネクタから１カ所を選んで接続する構成としたことを特徴とするもので、電波を最も受信しやすい場所にＧＰＳ受信機を設置でき、ＧＰＳ信号から正確な時刻設定ができるものである。
【００１４】
第３の発明は、電波時計またはＧＰＳ受信機は、熱源機、貯湯タンク、リモコンのうち２カ所以上に同時に設ける構成としたもので、受信状態を確認して付け替える必要なしで電波を受信できる確率が増加するものである。
【００１５】
第４の発明は、電波時計またはＧＰＳ受信機に通信手段を設け、貯湯タンクと熱源機間の通信線、または貯湯タンクとリモコン間の通信線のいずれかに接続して設ける構成としたもので、熱源機、貯湯タンク、リモコンの何れもが屋内や建物の影にあって電波を受信できなくても、電波時計またはＧＰＳ受信機だけを電波の受信できる場所に取り付けることができるものである。
【００１６】
第５の発明は、貯湯タンクと熱源機間の通信線、または貯湯タンクとリモコン間の通信線を電波時計またはＧＰＳ受信機のアンテナとして利用することを特徴とするもので、受信機自体の設置場所に電波が入って来なくても受信することができるものである。
【００１７】
第６の発明は、ＧＰＳ受信機から得られる位置情報から熱源機の通電時間を変更させるようにしたもので、ＧＰＳ受信機から得られる位置情報から正しくどこの電力会社の電気料金制度を利用するかがわかり、熱源機の通電時間を正確に設定することができる。
【００１８】
第７の発明は、ＧＰＳ受信機から得られる高度情報から、沸き上げ最高温度を変更するようにしたもので、設置場所に対応してその高度での沸点より低くなるように変更し、正確な沸き上げ温度を確保するものである。
【００１９】
以下、本発明の実施の形態について、図面を参照しながら説明する。なお、本実施の形態によって本発明が限定されるものではない。
【００２０】
（実施の形態１）
図１は、本発明の第１の実施の形態におけるヒートポンプ給湯機の全体構成図である。
【００２１】
図において、電力を用いてコンプレッサを駆動し大気中から熱を奪って水を加熱する熱源機９と、熱源機９で加熱された湯を蓄える貯湯タンク１０と、出湯温度や貯湯温度を台所で設定する台所リモコン１１と、湯はり温度や湯量を風呂場で設定するふろリモコン１２が接続されている。
【００２２】
貯湯タンク１０の制御基板１３には熱源機９が電気料金の安い深夜に作動するように通電時間を制御する計時手段である時計１４を設けてある。この時計１４の時刻設定が違っていると電気料金の安い夜間時間帯と昼間時間帯にずれが生じ、夜間時間帯の通電設定が昼間時間帯に通電されて沸き上げ動作を行い思わぬ電気代がかかってしまうことになるので正確に設定する必要がある。
【００２３】
時刻を正確に知らせる標準電波を受信する電波時計１５から現在時刻を送って時計１４を設定すれば時刻設定を誤ることはあり得ない。ところが、日本の標準電波は４０ｋＨｚと６０ｋＨｚという長波なので建物の奥には入って行けない。鉄筋コンクリートの住宅１６で、標準電波放送局１７からの電波は屋外に置いた熱源機９の場所で受信することができる。
【００２４】
また、熱源機９の筐体は金属製なので、この筐体に内蔵された制御基板１８では電波を受信できないので、熱源機９表面に電波時計１５を取り付け、接続線を制御基板１８のコネクタ１９に接続して電波時計１５に給電し、電波時計１５から日付、曜日、時刻などのデータをもらう。時計１４の時刻等は貯湯タンク１０と熱源機９を結んでいる通信線２０を通して伝える。
【００２５】
一方、家の向きが違い、標準電波放送局が２１の位置になる場合は熱源機９は住宅１６の影になり、代わりに窓２２のすぐ横にあるふろリモコン１２で標準電波が受信可能になる。この場合は電波時計１５はふろリモコン１２の中に設置してコネクタ２３に接続する。時刻は貯湯タンク１０から台所リモコン１１とふろリモコン１２を並列に接続して結んでいる通信線２４を通して伝える。
【００２６】
このように貯湯タンクの制御基板１３、台所リモコン１１にも電波時計接続用のコネクタ２５、２６を設け、これらのうち１カ所を選んで接続することで、電波を最も受信しやすい場所に電波時計を設置でき、正確な時刻設定ができる。
【００２７】
（実施の形態２）
電力料金の割引制度は電力会社によって時間帯などが多少違う。よって使用する電力会社の制度に合った適切な通電時間を設定しないと無駄な料金を支払うことになる。そこで、給湯装置の設置場所と時間の関係を正確に設定する必要がある。
【００２８】
図２は、本発明の第２の実施の形態における電気温水器の構成図であり、人工衛星からの電波によって位置と時刻を知ることのできるＧＰＳ受信機を接続するものである。本体２７の中に貯湯タンク２８がある。電力を用いて水を加熱する熱源機であるヒーター２９は貯湯タンク２８の中に差し込まれている。本体の中の制御基板３０にヒーターの通電時間を制御する時計３１がある。出湯温度や貯湯温度を設定するリモコンのうち台所リモコン３２は木造の２階に、ふろリモコン３３はコンクリート造りの１階に設置されている。ＧＰＳの電波は１．５７ＧＨｚで直進性が強く、人工衛星３４から送信されているので、上方にコンクリート壁などの電波を遮るものがあると受信できない。ＧＰＳ受信機３５は台所リモコン３２の横に設置し、台所リモコンのコネクタ３６に接続する。それでも電波の受信状態が悪ければＧＰＳ受信機３５を屋外に設置し最も近い台所リモコンのコネクタ３６に接続する。台所リモコン３２から制御基板３０に通信線３７を使って緯度、経度、高度の設置場所と時刻を送り、時計３１に正確な時刻を自動設定する。
【００２９】
さらに緯度、経度からどこの電力会社に接続されているかを判断して、その電力会社の電気料金制度に合うように熱源機の通電時間を設定する。なお電力会社の境界線近くではＧＰＳ信号からの緯度、経度に加えて、接続している商用電源の周波数が５０Ｈｚか６０Ｈｚかという情報も電力会社の判断に用いることができる場合もある。
【００３０】
また、気圧が下がると沸点が低くなる。例えば、標高２０００ｍだと水の沸点は９３℃位になる。通常は貯湯タンクの中は送水圧がかかっていて大気圧より高いが、出湯時や排水時バルブを開いたときに圧力が下がるので、貯湯温度は大気圧でも沸騰しない温度に設定する。ＧＰＳ受信機から得られる高度情報で、高度と気圧の相関と、気圧と水の沸点の相関から、沸き上げ最高温度をその高度での沸点より低くなるように設定する。
【００３１】
家によって貯湯タンク、リモコンのどの場所が電波の受信し易い場所に設置できるかが違うので、本体２７の制御基板のコネクタ３８、台所リモコン３２のコネクタ３６、ふろリモコン３３のコネクタ３９の中から１カ所を選んでＧＰＳ受信機３５を接続できるようにしたものである。
【００３２】
また、いちいち電波状態を確認して付け替えなくても、予め本体、台所リモコン、ふろリモコンの２カ所以上に電波時計やＧＰＳ受信機を設置しておくことで、電波を受信できる確率を増やすことができる。
【００３３】
（実施の形態３）
図３は、本発明の第３の実施の形態におけるヒートポンプ給湯機の図である。貯湯タンク４０の制御基板４１と熱源機４２の間は接続線４３で結ばれていてＡＣ２００Ｖの電源供給と信号通信をしている。制御基板４１と台所リモコン４４、ふろリモコン４５間は通信線４６で結ばれていて、制御基板４１からＤＣ１２Ｖの給電と２５０ｋＨｚのキャリアを重畳して相互に通信している。送信する時のみキャリアを出す方式なので通信線４６には制御基板４１と台所リモコン４４、ふろリモコン４５が並列接続できる。電波時計４７にもキャリア送信する回路を載せ、制御基板とリモコンを結ぶ通信線４６を延長して接続する。
【００３４】
このようにすることにより、熱源機、貯湯タンク、リモコンの何れもが電波の受信できない場所に取り付けられていても電波時計は受信し易い場所に設置でき、電波時計専用のコネクタを設ける必要もない。
【００３５】
なお、電波時計４７に貯湯タンクの制御基板４１と熱源器４２間の通信方式の回路を載せて電線４３に接続してもよい。
【００３６】
（実施の形態４）
図４は、本発明の第４の実施の形態における電気温水器の接続図である。貯湯タンクの制御基板４８にあるリモコンを結ぶ通信線４９の端子５０から、コンデンサ５１とコイル５２から成り標準電波の４０ｋＨｚ〜６０ｋＨｚを通す共振回路で、電波時計５３に接続する。よって通信線４９を電波時計のアンテナとして利用することにより、貯湯タンク自体が電波を受信できない場所に設置されていても通信線で電波を拾って標準電波を受信することができる。同様に通信線をＧＰＳ受信機のアンテナとして利用してもよい。またヒートポンプ給湯機の熱源機と貯湯タンクを結ぶ通信線をアンテナとして利用してもよい。
【００３７】
以上、電波時計とＧＰＳ受信機を恒久的に接続するものとして説明してきたが、電気温水器やヒートポンプ給湯機は設置後移動することはないので、ＧＰＳ付き携帯電話等で得たデータを赤外線や微弱電波などでリモコンや貯湯タンクに接続してデータを送っても良い。時刻は初期設定をした後通電されていれば商用電源の周期をカウントして時刻がずれることはないが、停電したり主電源が切られていると電池やコンデンサで蓄えられた電気で時計が動くので水晶発振子の精度となり、時々時刻補正が必要となるので時刻補正手段としての電波時計とＧＰＳ受信機は接続したままの方が望ましい。
【産業上の利用可能性】
【００３８】
以上のように本発明にかかる貯湯式給湯装置は、電波時計を熱源機、貯湯タンク、リモコンのうち２カ所以上に設けたコネクタから１カ所を選んで接続することで、電波を最も受信しやすい場所に電波時計を設置でき、正確な時刻設定ができるもので、正確な時刻設定を必要とする機器にも適用できる。
【図面の簡単な説明】
【００３９】
【図１】本発明の実施の形態１のヒートポンプ給湯機の全体構成図
【図２】本発明の実施の形態２の電気温水器の全体構成図
【図３】本発明の実施の形態３のヒートポンプ給湯機の構成図
【図４】本発明の実施の形態４の電気温水器の接続図
【図５】従来の電気温水器のブロック図
【符号の説明】
【００４０】
９  熱源機
１０  貯湯タンク
１１  台所リモコン
１２  ふろリモコン
１４  時計（計時手段）
１５  電波時計
１７  標準電波放送局
１９、２３、２５、２６  コネクタ
【図１】
2005140469.tif 000003
【図２】
2005140469.tif 000004
【図３】
2005140469.tif 000005
【図４】
2005140469.tif 000006
【図５】
2005140469.tif 000007